(57)【要約】【課題】データラインの上部で光漏れを防止するために重畳した共通電極の形状を変更して一方向に強いクロストークを防止し、視感を改善した液晶表示装置を提供する。【解決手段】第１基板上に互いに離隔した複数の水平画素ラインに対応してそれぞれ備えられた第１共通電極と、前記第１共通電極の間に配置されたゲートラインと、前記ゲートラインと交差する前記水平画素ラインに、互いに離隔して画素領域を有し、交互に配置された複数のデータライン及び共通ラインと、前記画素領域に複数に分岐された画素電極と、前記水平画素ライン内の前記データライン及び共通ラインをそれぞれ重畳した第１共通電極パターン及び第２共通電極パターン、及び互いに隣接した前記第１及び第２共通電極パターンを連結する水平連結部を含む第２共通電極とを含む。【選択図】  図１
2020109505.tif 000002
【特許請求の範囲】
【請求項１】
基板と、
少なくとも一つの第１画素行と、前記第１画素行に隣接する第２画素行を含む複数の水平画素行と、
前記基板上の前記複数の水平画素行に配列された複数の画素と、
前記第１画素行と前記第２画素行のそれぞれに備えられた第１共通電極と、
前記第１画素行の第１共通電極と前記第２画素行の第１共通電極との間に備えられ少なくとも一つのゲートラインと、
前記少なくとも一つのゲートラインと交差して、各水平画素行に前記複数の画素を定義し、互いに離隔して交互に配列された複数のデータラインと共通ラインと、
各画素に備えられた複数の画素電極と、
それぞれ前記データラインと前記共通ラインに重畳した第１共通電極パターンと第２共通電極パターンを含む第２の共通電極と、
前記第１画素行で各画素の前記第２共通電極を隣接する前記第２画素行で画素の第２共通電極に接続させる交差連結部を含む、液晶表示装置。
【請求項２】
前記第１画素行で画素の前記第２共通電極は、前記画素を通る前記共通ラインに対して前記第２画素行で隣接した画素の前記第２共通電極に対角方向対称である、請求項１に記載の液晶表示装置。
【請求項３】
前記隣接した画素の前記第２共通電極と前記交差連結部は同一層に位置する、請求項２に記載の液晶表示装置。
【請求項４】
前記画素は前記第１共通電極パターンと前記第２共通電極パターンを連結する水平連結部を有する、請求項１に記載の液晶表示装置。
【請求項５】
前記水平連結部は、各画素において、前記データラインと前記共通ラインの間に延長して、前記水平画素行の上部及び下部のいずれか一方に位置する、請求項４に記載の液晶表示装置。
【請求項６】
前記基板と対向する対向基板と、
前記基板及び前記対向基板の間の液晶層とをさらに含み、
前記液晶層を通過する光は前記第１基板を通して出射し、前記第２共通電極は前記データライン及び共通ラインより液晶層に近い、請求項１に記載の液晶表示装置。
【請求項７】
前記ゲートラインは、前記第１画素行と前記第２画素行の前記第１共通電極の間に配置された一対の第１ゲートライン及び第２ゲートラインを含む、請求項１に記載の液晶表示装置。
【請求項８】
前記画素行の前記第１共通電極は前記基板上の外郭に位置し、前記ゲートラインと同一層のパッド電極と接続される、請求項１に記載の液晶表示装置。
【請求項９】
前記第１共通電極上にゲート絶縁膜と、
前記データライン及び共通ライン上に層間絶縁膜とをさらに含み、
前記第１共通電極は前記基板上に形成され、
前記データライン及び共通ラインは前記ゲート絶縁膜上に形成され、
前記画素電極、第１共通電極パターン及び第２共通電極パターンは前記層間絶縁膜上に形成された、液晶表示装置。
【請求項１０】
前記ゲート絶縁膜上に半導体層をさらに含む、請求項９に記載の液晶表示装置。
【請求項１１】
前記データライン及び共通ラインが前記半導体層上に形成される、請求項１０に記載の液晶表示装置。
【請求項１２】
前記第１共通電極がプレート形であり、前記画素電極がフィンガー形である、請求項１に記載の液晶表示装置。
【請求項１３】
前記第２共通電極パターンが前記共通ラインと接続される、請求項１に記載の液晶表示装置。
【請求項１４】
前記第１及び第２共通電極パターン、前記水平連結部及び前記交差連結部は同一層に位置する、請求項４に記載の液晶表示装置。
【請求項１５】
前記少なくとも一つのゲートラインと前記第１共通電極は同一層に位置する、請求項１に記載の液晶表示装置。
【発明の詳細な説明】
【技術分野】
【０００１】
本発明は表示装置に係り、より詳しくはアクティブ領域内のデータカップリング（ｄａｔａ  ｃｏｕｐｌｉｎｇ）及び垂直方向のクロストークを防止して視感を向上させた液晶表示装置に関する。
【背景技術】
【０００２】
情報化社会が発展するにつれて表示装置に対する要求も多様な形態に増加している。これに応えて、ＬＣＤ（Ｌｉｑｕｉｄ  Ｃｒｙｓｔａｌ  Ｄｉｓｐｌａｙ  Ｄｅｖｉｃｅ）、ＯＬＥＤ（Ｏｒｇａｎｉｃ  Ｌｉｇｈｔ  Ｅｍｉｔｔｉｎｇ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、ＥＬＤ（Ｅｌｅｃｔｒｏ  Ｌｕｍｉｎｅｓｃｅｎｔ  Ｄｉｓｐｌａｙ）、ＶＦＤ（ＶａｃｕｕｍＦｌｕｏｒｅｓｃｅｎｔＤｉｓｐｌａｙ）などのさまざまな表示装置が研究されて来たし、一部は既に多くの装備に表示装置として活用されている。
【０００３】
このうち、近年液晶表示装置（ＬＣＤ）と有機発光表示装置（ＯＬＥＤ）が軽薄短小化及び鮮明な色相の利点を持って使用者の要求に応えて発展して来た。
【０００４】
このような表示装置は、共通的に画素領域ごとに形成されたスイッチング素子である薄膜トランジスタを含む薄膜トランジスタアレイ基板を含む。薄膜トランジスタアレイ基板上には、互いに交差する複数のゲートライン及びデータラインとともに、各ゲートライン及びデータラインの交差部に薄膜トランジスタが形成される。ここで、薄膜トランジスタアレイ基板の縁部の一部には、ゲートライン及びデータラインに信号を印加するために、各ラインと連結されたパッド部は電気的信号を伝達する印刷回路基板と連結されている。
【０００５】
また、従来の表示装置は、表示面の縁部を器具物が取り囲んで内部構成が見えないように遮る構成を有する。
【０００６】
一方、液晶表示装置は、備えられる画素電極と共通電極の間にかかる電界の形態によって垂直電界型方式と横電界型方式に区分される。広い視野角での利用のために横電界型方式が論議されている。
【０００７】
しかし、このような横電界型方式の液晶表示装置は、高い開口率のために大面積で備えられる共通電極が他の電極又は配線と重畳し、したがって、画素電極と横電界の他の配線との重畳によってクロストークを引き起こす問題がある。
【先行技術文献】
【特許文献】
【０００８】
【特許文献１】特開２０１８−１０９７６６
【発明の概要】
【発明が解決しようとする課題】
【０００９】
本発明は上述した問題点を解決するために案出されたもので、特にデータラインの上部での光漏れを防止するために、重畳した共通電極の形状を変更して一方向に強いクロストークを防止し、視感を改善した液晶表示装置を提供することを目的とする。
【課題を解決するための手段】
【００１０】
本発明は、データラインを覆う第２共通電極の形状を単に遮蔽用のパターンだけではなく、共通電圧が印加される共通ラインとの接続部を水平画素ラインごとに少なくとも一つ以上備えることにより、第２共通電極の電位を一定の共通電圧値に維持してクロストークを防止し、視感を改善しようとした液晶表示装置に関する。
【００１１】
一実施例による本発明の液晶表示装置は、基板と、少なくとも一つの第１画素行と、前記第１画素行に隣接する第２画素行を含む複数の水平画素行と、前記基板上の前記複数の水平画素行に配列された複数の画素と、前記第１画素行と前記第２画素行のそれぞれに備えられた第１共通電極と、前記第１画素行の第１共通電極と前記第２画素行の第１共通電極との間に備えられ少なくとも一つのゲートラインと、前記少なくとも一つのゲートラインと交差して，各水平画素行に前記複数の画素を定義し、互いに離隔して交互に配列された複数のデータラインと共通ラインと、各画素に備えられた複数の画素電極と、それぞれ前記データラインと前記共通ラインに重畳した第１共通電極パターンと第２共通電極パターンを含む第２の共通電極と、前記第１画素行で各画素の前記第２共通電極を隣接する前記第２画素行で画素の第２共通電極に接続させる交差連結部を含み得る。
【００１２】
前記第１画素行で画素の前記第２共通電極は、前記画素を通る前記共通ラインに対して前記第２画素行で隣接した画素の前記第２共通電極に対角方向対称であってもよい。
【００１３】
前記隣接した画素の前記第２共通電極と前記交差連結部は同一層に位置してもよい。
【００１４】
前記画素は前記第１共通電極パターンと前記第２共通電極パターンを連結する水平連結部を有し得る。
【００１５】
前記水平連結部は、各画素において、前記データラインと前記共通ラインの間に延長して、前記水平画素行の上部及び下部のいずれか一方に位置してもよい。
【００１６】
前記基板と対向する対向基板と、前記基板及び前記対向基板の間の液晶層とをさらに含み、前記液晶層を通過する光は前記第１基板を通して出射し、前記第２共通電極は前記データライン及び共通ラインより液晶層に近くてもよい。
【００１７】
前記ゲートラインは、前記第１画素行と前記第２画素行の前記第１共通電極の間に配置された一対の第１ゲートライン及び第２ゲートラインを含んでもよい。
【００１８】
前記画素行の前記第１共通電極は前記基板上の外郭に位置し、前記ゲートラインと同一層のパッド電極と接続され得る。
【００１９】
前記第１共通電極上にゲート絶縁膜と、前記データライン及び共通ライン上に層間絶縁膜とをさらに含み、前記第１共通電極は前記基板上に形成され、前記データライン及び共通ラインは前記ゲート絶縁膜上に形成され、前記画素電極、第１共通電極パターン及び第２共通電極パターンは前記層間絶縁膜上に形成され得る。
【００２０】
前記ゲート絶縁膜上に半導体層をさらに含んでもよい。
【００２１】
また、前記データライン及び共通ラインが前記半導体層上に形成され得る。
【００２２】
そして、前記第１共通電極がプレート形であり、前記画素電極がフィンガー形であってもよい。
【００２３】
前記第２共通電極パターンが前記共通ラインと接続されてもよい。
【００２４】
前記第１及び第２共通電極パターン、前記水平連結部及び前記交差連結部は同一層に位置してもよい。
【００２５】
前記少なくとも一つのゲートラインと前記第１共通電極は同一層に位置してもよい。
【発明の効果】
【００２６】
本発明の液晶表示装置は次のような効果がある。
【００２７】
横電界駆動のために、平板形の第１共通電極と、これと重畳した画素電極とを備え、さらにデータライン上の光漏れを防止するために、第２共通電極をデータラインと重畳して備える。本発明の液晶表示装置は、垂直方向にデータラインに長く重畳した第２共通電極に対して水平画素ライン単位に分割し、隣接した共通ラインと第２共通電極とを接続することにより、第２共通電極において、データラインに印加した電圧に連動して共通電圧値が変動することを防止する。したがって、垂直方向のクロストークを防止できる。
【００２８】
データライン付近の光漏れを防止するために、第２共通電極がデータラインを覆うように形成し、水平画素ラインの間に２画素領域ごとにデータライン側に交差するように第２共通電極の交差部を交差連結部として備えることにより、光漏れの防止と共通電圧の安定化とを同時に達成できる。
【００２９】
データラインの光漏れを、これを覆う第２共通電極によって防止でき、薄膜トランジスタアレイ基板と対向する対向基板側でブラックマトリックスの幅を減らし得るので、開口率を増大できる。したがって、視感を向上できる。
【図面の簡単な説明】
【００３０】
【図１】本発明の液晶表示装置を示した平面図である。
【図２ａ】図１のゲートライン及びゲート電極を示した平面図である。
【図２ｂ】図１のデータライン及び共通ラインの構成を示した平面図である。
【図２ｃ】図１の第２共通電極を示した平面図である。
【図３】図１のＩ〜Ｉ’線についての断面図である。
【図４】図１のＩＩ〜ＩＩ’線についての断面図である。
【図５】図１のＩＩＩ〜ＩＩＩ’線についての断面図である。
【図６】図１のＩＶ〜ＩＶ’線についての断面図である。
【図７】本発明の液晶表示装置を示した断面図である。
【発明を実施するための形態】
【００３１】
以下、添付図面に基づき、本発明の好適な実施例を説明する。明細書全般にわたって同じ参照番号は実質的に同じ構成要素を意味する。以下の説明で、本発明に係わる技術又は構成についての具体的な説明が本発明の要旨を不必要にあいまいにすることができると判断される場合、その詳細な説明を省略する。また、以下の説明で使われる構成要素の名称は明細書の容易な作成を考慮して選択したもので、実際製品の部品の名称と違うこともある。
【００３２】
本発明の多様な実施例を説明するための図面に開示した形状、大きさ、比率、角度、個数などは例示的なものなので、本発明が図面に示した事項に限定されるものではない。本明細書全般にわたって同じ図面符号は同じ構成要素を指称する。また、本発明の説明において、関連の公知技術についての具体的な説明が本発明の要旨を不必要にあいまいにすることができると判断される場合、その詳細な説明を省略する。本明細書で言及する‘含む’、‘有する’、‘なる’などが使われる場合、‘〜のみ’が使われない限り、他の部分が加わることができる。構成要素を単数で表現した場合、特に明示的な記載事項がない限り、複数を含む場合もある。
【００３３】
本発明の多様な実施例に含まれた構成要素の解釈において、別途の明示的な記載がないとしても誤差範囲を含むものに解釈する。
【００３４】
本発明の多様な実施例の説明において、位置関係について説明する場合、例えば、‘〜上に’、‘〜上部に’、‘〜下部に’、‘〜そばに’などに２部分の位置関係を説明する場合、‘すぐ’又は‘直接’が使われない限り、２部分の間に一つ以上の他の部分が位置することもある。
【００３５】
本発明の多様な実施例の説明において、時間関係について説明する場合、例えば、‘〜の後に’、‘〜に引き継ぎ’、‘〜の次に’、‘〜の前に’などで時間的先後関係を説明する場合、‘すぐ’又は‘直接’が使われない限り、連続的ではない場合も含むことができる。
【００３６】
本発明の多様な実施例の説明において、‘第１〜’、‘第２〜’などを多様な構成要素を敍述するために使うことができるが、このような用語は互いに同一又は類似の構成要素を互いに区別するために使われるだけである。よって、本明細書で、‘第１〜’で修飾される構成要素は別途の言及がない限り、本発明の技術的思想内で‘第２〜’で修飾される構成要素と同一であることもある。
【００３７】
本発明の多くの多様な実施例のそれぞれの特徴が部分的に又は全体的に互いに結合又は組合せ可能であり、技術的に多様な連動及び駆動が可能であり、多様なそれぞれの実施例が互いに対して独立的に実施するできることもでき、関連関係で一緒に実施することもできる。
【００３８】
図１は本発明の液晶表示装置を示した平面図、図２ａは図１のゲートライン及びゲート電極を示した平面図、図２ｂは図１のデータライン及びこれと同一層の構成を示した平面図、図２ｃは図１の共通ラインを示した平面図である。また、図３は図１のＩ〜Ｉ’線についての断面図、図４は図１のＩＩ〜ＩＩ’線についての断面図、図５は図１のＩＩＩ〜ＩＩＩ’線についての断面図、図６は図１のＩＶ〜ＩＶ’線についての断面図である。
【００３９】
図１〜図６に示すように、本発明の液晶表示装置は、第１基板１００上に互いに離隔した複数の水平画素ラインに対応してそれぞれ平板形（ｐｌａｔｅ  ｔｙｐｅ）に構成された第１共通電極１１０と、第１共通電極１１０の間に配置された第１ゲートライン１１５及び第２ゲートライン２１５を含むゲートライン対ＧＰと、ゲートライン対と交差する水平画素ラインに、互いに離隔して画素領域を有し、交互に配置された複数のデータライン１３２及び共通ライン１３３及び画素領域に複数に分岐された画素電極１５０とを含む。
【００４０】
また、第２共通電極１６０のそれぞれは、水平画素ライン内のデータライン１３２及び共通ライン１３３とそれぞれ重畳した第１共通電極パターン１６０ｃ及び第２共通電極パターン１６０ａと、互いに隣接した第１及び第２共通電極パターンを連結する水平連結部１６０ｂとを含む。よって、データライン１３２に起因する隣接画素電極との意図せぬ横電界によるデータライン１３２付近の液晶ずれによって発生する光漏れを防止する第２共通電極１６０を水平画素ライン単位で切ることで、データライン１３２との重畳が長く連続しないように水平画素ラインごとに分割して、第２共通電極がデータライン１３２の電圧値に連動して電位が動いて垂直クロストークを引き起こす現象を防止できる。
【００４１】
一方、互いに分割された隣接した水平画素ラインごとの第２共通電極１６０の形状は共通ライン１３３に対して互いに対角方向に対称状であってもよい。これは、同一パターンの繰り返しによる各水平画素ラインについての同じ傾向にしたがって第２共通電極１６０の電圧が変動することを防止する必要があるためである。
【００４２】
そして、隣接した水平画素ラインの間で、互いに対角方向対称である第２共通電極を連結する交差連結部１６０ｄをさらに含む。これは、上下水平画素ラインに対して印加される共通電圧の連続性のためである。第１及び第２共通電極パターン１６０ｃ、１６０ａ、これらの水平連結部１６０ｂ及び交差連結部１６０ｄは、同一層に互いに集積されたパターンである。
【００４３】
また、第１及び第２共通電極パターン１６０ｃ、１６０ａ、これらの水平連結部１６０ｂ及び交差連結部１６０ｄは集合的に第２共通電極１６０と総称することもある。共通ライン１３３は第１共通電極１１０と異なる層に位置し、同一又は類似の材料の透明電極からなる。透明電極は、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）又はＩＴＺＯ（Ｉｎｄｉｕｍ  Ｔｉｎ  Ｚｉｎｃ  Ｏｘｉｄｅ）からなり得る。
【００４４】
図２ｃに示すように、各水平画素ラインで連続した第１共通電極パターン１６０ｃ、水平連結部１６０ｂ及び第２共通電極パターン１６０ａは、第１水平画素ラインＰＸＬ１で逆‘Ｕ’字形に繰り返され、次の第２水平画素ラインＰＸＬ２で同じ‘Ｕ’字形に繰り返され得る。第１水平画素ラインＰＸＬ１が奇数番目水平画素ラインになり得るし、第２水平画素ラインＰＸＬ２が偶数番目水平画素ラインになり得る。もしくは、反対に第１水平画素ラインＰＸＬ１が偶数番目水平画素ライン、第２水平画素ラインＰＸＬ２が奇数番目水平画素ラインになってもよい。
【００４５】
また、同じ水平画素ラインで見ると、水平連結部１６０ｂを有する互いに隣接したデータライン１３２と共通ライン１３３に対して、同じ水平画素ラインの上部及び下部のいずれか一方で水平連結部１６０ｂを有し、上部及び下部の他方で離隔できる。これは、水平方向において第２共通電極１６０の連続配置を避け、水平方向のラインに対する連動を防止するためである。
【００４６】
一方、第１共通電極１１０は平板形に構成され、ゲートラインとの信号干渉を避けるためにゲートライン対ＧＰとは連続的に重畳しないように構成される。第１共通電極１１０はそれぞれ延長部を備えて非表示領域で共通ライン１３３と電気的に接続できる。そして、共通ライン１３３はまた交差連結部１６０ｄとの電気的連結部を備えることにより、各水平画素ライン間の領域で共通ラインから共通電圧信号が印加される。
【００４７】
交差連結部１６０ｄと共通ライン１３３の重畳部位に、共通ラインと交差連結部間の接続部（図１のＩＩＩ〜ＩＩＩ’表示領域）を備えられる。
【００４８】
より詳細に説明すれば、水平画素ラインは互いに接して互いに対角方向対称形の第２共通電極を有する第１水平画素ライン（図１の一番目点線領域）と第２水平画素ライン（図１の一番目点線領域）が交互に繰り返され、交差連結部１６０ｄは、第１水平画素ラインと第２水平画素ラインの間に第１対角方向の第１交差連結部１６０ｄ（図１の右上左下の対角方向）と、第２水平画素ライン（図１の二番目点線領域）と次の第１水平画素ラインの間に第１対角方向と交差する方向の第２交差連結部（図１の２番目点線ラインの下端部で左上右下の対角方向）とを有することができる。
【００４９】
第１水平画素ラインと第２水平画素ラインの間に第１型ゲートライン対１１５、２１５を有し、第２水平画素ラインと次第１水平画素ラインの間に第２型ゲートライン対３１５、４１５を有することができる。
【００５０】
第１型ゲートライン対１１５、２１５に対して、データライン１３２と交差し、データライン１３２に対して第１水平画素ラインで、一画素領域の右側に離隔した画素領域（Ａ）を駆動する第１薄膜トランジスタＴＦＴ１、及び第２水平画素ラインで一画素領域の左側に離隔した画素領域（Ｂ）を駆動する第２薄膜トランジスタＴＦＴ２をさらに含む。
【００５１】
また、第２型ゲートライン対３１５、４１５に対して、データライン１３２と交差し、データライン１３２の左側に接した次の第２水平画素ラインの画素領域（Ｃ）を駆動する第３薄膜トランジスタＴＦＴ３をさらに含み、第１水平画素ラインで、前記データラインに接した第１水平画素ラインの右側に接した画素領域（Ｄ）を駆動する第４薄膜トランジスタＴＦＴ４をさらに含むことができる。
【００５２】
ゲートライン１１５、２１５、３１５、４１５とデータライン１３２の間に画素領域が定義される。本発明はデータ電圧を半分にして印加するためのＤＲＤ（Ｄｏｕｂｌｅ  Ｒｅｄｕｃｅｄ  Ｄｒｉｖｉｎｇ）構造のもので、複数のデータライン１３２が水平方向の２個の画素領域を挟んで繰り返され、データライン１３２と同一層であり、隣接したデータラインとの間に一つの画素領域を挟んで共通ライン１３３が繰り返される。
【００５３】
また、本発明において、第２共通電極１６０はデータライン１３２の上部に位置し、横方向に隣接したデータライン１３２と隣接した画素電極１５０間の意図せぬ横電界を防止する。これにより、データライン１３２付近の歪んだ電界ライン（ディスクリネーションライン）を防止できる。したがって、図３に示すように、データライン１３２の上部に対応して第２基板２００に備えられるブラックマトリックス２２０の幅をデータライン１３２の幅以下に減らすことができる。
【００５４】
共通ライン１３３は層間絶縁膜１４０を挟んで位置する交差連結部１６０ｄと接続部を介して接続される。共通ライン１３３及びデータライン１３２の下部に半導体層１３１をさらに備え得る。これはデータライン１３２を形成するときに同じマスクで同時に形成されている。相異なるマスクで形成する場合は、共通ライン１３３及びデータライン１３２の下を省略できる。
【００５５】
図６を参照して、第２薄膜トランジスタＴＦＴ２の構造を見ると、ゲート電極２１５ａ、ゲート電極２１５ａとの間にゲート絶縁膜１２０を挟んで重畳した半導体層１３１、及び半導体層１３１のチャネル領域を除き、半導体層１３１と接続されたソース電極１３２ａ及びドレイン電極１３２ｂを含む。
【００５６】
以下、図１〜図６を参照して本発明の液晶表示装置の製造方法について説明する。
【００５７】
図１〜図６に示すように、第１基板１００上に透明導電物質を形成し、これを選択的に除去して、各水平画素ラインを通る第１共通電極１１０を形成する。
【００５８】
ついで、遮光性金属物質を蒸着し、これを選択的に除去することにより、アクティブ領域ＡＡに、水平ライン方向のゲートライン１１５、２１５、３１５、４１５とゲートライン１１５、２１５、３１５、４１５と一体型である一定幅のゲート電極１１５ａ、２１５ａ、３１５ａ、４１５ａを形成する。さらに、非表示領域ＮＡに、遮光性金属物質と同じ物質で、非表示領域ＮＡの少なくとも一辺、すなわち水平画素ラインに接してパッド電極（図７の３２５参照）を形成する。パッド電極３２５は第１共通電極１１０と一側で接続され得る。
【００５９】
ついで、第１基板１００の全面にゲート絶縁膜１２０を形成する。
【００６０】
ついで、半導体物質（１３１と同一層）と遮光性金属物質（１３２と同一層）を順に積層した後、これを選択的に除去することにより、ゲート電極１１５ａ、２１５ａ、３１５ａ、４１５ａと交差する方向のデータライン１３２とデータライン１３２と一体型に形成しようとする薄膜トランジスタの半導体層１３１の形状にゲート電極１１５ａ、２１５ａ、３１５ａ、４１５ａと重畳したパターン（１３２ａ、１３２ｂ形成部位）を残す。データライン１３２は、図示のように、印加データ電圧を減らすために、前述したように、同一層に共通ラインＣＬをデータライン１３２と交互に形成する。
【００６１】
ゲート電極１１５ａ、２１５ａ、３１５ａ、４１５ａと交差する部位でチャネル領域に対応する部位の遮光性金属物質を選択的に除去してチャネル部位の半導体層１３１を露出させる。この過程で、データライン１３２と同一層でありながら一体型である、例えば‘Ｃ’字形（図１参照）のソース電極１３２ａ、及び ‘Ｃ’字形のソース電極１３２ａの内側にチャネル領域を有するようにドレイン電極１３２ｂを形成する。ドレイン電極１３２ｂはソース電極１３２ａの‘Ｃ’字形の内側空間に一部が位置し、ゲートライン１１５の方向に延びた一側を有する。
【００６２】
ついで、データライン１３２、ソース電極１３２ａ及びドレイン電極１３２ｂを覆うようにゲート絶縁膜１２０上に層間絶縁膜１４０を形成する。
【００６３】
ついで、透明導電物質を蒸着し、これを選択的に除去することにより、ゲートライン１１０とデータライン１３２間の空間と定義される画素領域に、ドレイン電極１３２ｂと接続され、複数に分岐された画素電極１５０を形成する。同一層に、各水平画素ラインのデータライン１３２と重畳する第１共通電極パターン１６０ｃ、共通ライン１３３と重畳した第２共通電極パターン１６０ａ、前記第１及び第２共通電極パターン１６０ｃ、１６０ａを連結する水平連結部１６０ｂ、及び次の水平画素ラインの２画素領域だけシフトされたデータライン１３２と重畳した第１共通電極パターン１６０ｃと連結する交差連結部１６０ｄを連結させる。
【００６４】
一方、図３、図４及び図６と製造方法の説明は半導体層１３１とデータライン１３２の形成時に同じマスクを用いたものを基準に説明したが、必要によって、半導体層１３１とデータライン１３２を互いに異なるマスクで形成することもできる。同じマスクを用いた場合、データライン１３２及びこれを形成する金属が位置する下部に半導体層（図３、図４及び図６の１３１参照）が備えられ、相異なるマスクを用いて形成した場合は、データライン１３２の下部に半導体層を省略することができる。同じマスクを用いた場合はマスク数の増加によって収率が向上するという利点があり、相異なるマスクを用いる場合は半導体層の位置をデータライン金属層に関係なく調節することができるという利点がある。
【００６５】
本発明の液晶表示装置は、横電界駆動のために、平板形の第１共通電極１１０とこれと重畳した画素電極１５０を備え、さらにデータライン１３２上の光漏れを防止するために、第２共通電極１６０をデータラインと重畳するように備える。ここで、本発明の液晶表示装置は、垂直方向にデータラインと長く重畳した第２共通電極を水平画素ライン単位１６０ａ、１６０ｂ、１６０ｃに分割し、隣接した共通ライン１３３と第２共通電極の交差連結部１６０ｄを接続させることにより、第２共通電極１６０：１６０ａ、１６０ｂ、１６０ｃ、１６０ｃにおいて、データラインに印加された電圧に連動した共通電圧値の変動を防止する。したがって、垂直方向のクロストークを防止できる。
【００６６】
また、データライン１３２付近の光漏れを防止するために、第２共通電極として第１共通電極パターン１６０ｃがデータラインを覆うように形成するとともに、水平画素ラインの間に２画素領域ごとにデータライン側に交差するように第２共通電極の交差部を交差連結部１６０ｄで構成することにより、光漏れの防止とともに共通電圧の安定化が同時に可能である。
【００６７】
また、データライン１３２の光漏れが、これを覆う第２共通電極の第１共通電極パターン１６０ｃによって防止され、薄膜トランジスタアレイ基板と対向する対向基板側でブラックマトリックス２２０の幅を減らすことができるので、開口率を増大させ得る。したがって、視感を向上できる。
【００６８】
本発明の液晶表示装置は、水平画素ライン単位で透明導電膜からなる第２共通電極とデータラインと同一層の遮光性金属の共通ラインを連結させることにより、長手方向の抵抗を低くし、データラインの上部で第２共通電極が共通電圧を維持できる。
【００６９】
図７は本発明の液晶表示装置を示した断面図である。
【００７０】
図７に示すように、本発明の液晶表示装置は、パッド部ＰＡＤを有し、同一平面のアクティブ領域に複数の画素を備えた第１基板１００は薄膜トランジスタアレイが形成されるもので、第１基板１００の対向側の第２基板２００の下側に位置するバックライトユニット（図示せず）から光が出射するとき、液晶表示装置１０００から最終光が出射する基板である。すなわち、本発明の液晶表示装置は第１及び第２基板１００、２００のうち配線を有する第１基板１００が、視聴者の目が向かう位置にあるもので、一種のパネルが覆されたフリップ（ｆｌｉｐ）型である。
【００７１】
第１及び第２基板１００、２００はアクティブ領域ＡＡを取り囲む閉ループ形のシールパターン２３０で封止され、シールパターン２３０の内部に液晶を注入または滴下して液晶層２５０を構成する。
【００７２】
一方、本発明の液晶表示装置１０００は、高い開口率と広い視野角を得るために、電界の印加時に液晶が横に配列されるＩＰＳ（Ｉｎ−Ｐｌａｎｅ  Ｓｗｉｔｃｈｉｎｇ）モードに従う。すなわち、各単位画素では平板形の第１共通電極１１０と複数に分岐された画素電極１５０が重畳している。画素電極１５０と第１共通電極１１０にそれぞれ電圧が印加されれば、その電圧差によって電界が発生し、電界に沿って液晶層２５０の液晶が配列される。液晶の配列状態によって光透過量が変わって表示される。
【００７３】
本発明の液晶表示装置１０００は、水平画素ラインにはそれぞれ第１平板形の第１共通電極１１０が形成される。
【００７４】
前述したように、第１共通電極１１０は、さらに他の層に共通ライン１３３を備え、第１共通電極１１０と接続することができ、また上部側に図２ｃの形態の第１共通電極１１０と電気的な等電位を成す他の共通電極をさらに備えることもできる。
【００７５】
各単位画素はゲートラインＧＬとデータラインＤＬに接続された薄膜トランジスタＴＦＴによって駆動され、薄膜トランジスタＴＦＴによってデータ電圧が印加された画素電極１５０と共通電圧Ｖｃｏｍが印加された第１共通電極１１０によって横電界を形成して駆動される。一方、第１共通電極１１０及び画素電極１５０はその間に絶縁膜１２０／１４０を備えている。
【００７６】
本発明の液晶表示装置は、ストレージキャパシターＣｓｔのための別途の電極を形成しなくても、画素電極１５０と第１共通電極１１０の重畳面積が大きいため、各単位画素内の第１共通電極１１０及び画素電極１５０とその間の絶縁膜１２０／１４０によって定義されるストレージキャパシターの容量Ｃｓｔを充分に確保できる。
【００７７】
アクティブ領域ＡＡの第１共通電極１１０と非表示領域ＮＡのパッド電極３２５又は共通電圧印加パターンによって電気的に連結される。本発明の液晶表示装置は、アクティブ領域ＡＡで大面積を有し、平板形（ｐｌａｔｅ）の第１共通電極１１０を通して工程中に発生する静電気又は第１基板１００内に発生する静電気を、大面積の第１共通電極１１０と、これと電気的に連結されたパッド電極３２５又は共通電圧印加パターンによって外側に放出することができる。
【００７８】
第１基板１００は第２基板２００より相対的にパッド部ＰＡＤに当たる面積が突出するように構成され、パッド部ＰＡＤにはフレキシブルプリント基板（図示せず）が接続され、フレキシブルプリント基板は第２基板２００の背面の下側に折り畳まれることができる。
【００７９】
第２基板２００の下側とフレキシブルプリント基板の間にはバックライトユニット（図示せず）をさらに備えることができる。
【００８０】
一方、液晶表示装置１０００は第１基板１００の背面側に偏光板３５０をさらに備えることにより、第１基板１００の背面側に出射して出る線偏光を制御することができる。また、第２基板２００の透明導電膜を備えた表面には偏光板（図示せず）をさらに備え得る。
【００８１】
本発明の液晶表示装置１０００はボーダーレス構造のもので、トップケースのような器具物を備えていないから、ブラックインク３６０が第１基板１００の内面側から端部に位置するパッド部を覆うように第１の基板１００の背面に形成され得る。また、第１基板１００の外縁をシリコン３７０で仕上げることにより、第１基板１００の表面及び側部に別途の器具物を備えなくても外郭の視認を防止できる。また、本発明の構造には器具物が配置されないので、第１基板１００の背面は平坦な状態を維持し、視感上の段差を防止することができ、外郭の突出部又は異物感を防止できる。
【００８２】
第１基板１００のパッド部ＰＡＤを含む非表示領域ＮＡを遮るブラックプリンティング（図示せず）をさらに備え、背面偏光板をブラックプリンティングを覆うように配置してもよい。
【００８３】
本発明の液晶表示装置は、ボーダーレス（ｂｏｒｄｅｒｌｅｓｓ）の適用によってアクティブ領域の外郭の非表示領域を減らした構造であっても、アクティブ領域内の第２共通電極の形状の変更によって垂直クロストークを防止するものであり、平板形の第１共通電極１１０を備えることによって開口率を高めるとともにデータラインと、これと隣接した画素電極間の歪んだ電界ライン（ディスクリネーションライン）を防止して視認を向上させることができる。
【００８４】
一方、以上で説明した本発明は上述した実施例及び添付図面に限定されるものではなく、本発明の技術的思想を逸脱しない範疇内でさまざまな置換、変形及び変更が可能であることは、本発明が属する技術分野で通常の知識を有する者には明らかであろう。
【符号の説明】
【００８５】
１１０    第１共通電極
１１５、２１５、３１５、４１５    ゲートライン
１２０    ゲート絶縁膜
１３１    半導体層
１３２    データライン
１３２ａ    ソース電極
１３２ｂ    ドレイン電極
１３３    共通ライン
１４０    層間絶縁膜
１５０    画素電極
１６０    第２共通電極
１６０ａ    第２共通電極パターン
１６０ｂ    水平連結部
１６０ｃ    第１共通電極パターン
１６０ｄ    交差連結部
２００    第２基板
２２０    ブラックマトリックス層
２３０    シールパターン
３５０    偏光板
３６０    ブラックインク
３７０    シリコン
【図１】
2020109505.tif 000003
【図２ａ】
2020109505.tif 000004
【図２ｂ】
2020109505.tif 000005
【図２ｃ】
2020109505.tif 000006
【図３】
2020109505.tif 000007
【図４】
2020109505.tif 000008
【図５】
2020109505.tif 000009
【図６】
2020109505.tif 000010
【図７】
2020109505.tif 000011